(57)【要約】      （修正有）【課題】誰でも分解・組立が容易に出来、且つ、軽量で持ち運びが簡単で、且つ、多球収納袋の高さ位置変更が可能で安価な卓球練習用多球収納袋付きスタンドを提供する。【解決手段】スタンドに着脱自在に装着可能な多球収納袋１と、複数の部品にて組立、且つ、分解可能なスタンド２からなり、多球収納袋は、両端にパイプ等の軽量型固定用部材を係止した袋からなり、スタンドは上部に多球収納袋両端部の軽量型固定用部材を係止可能な係止部を有し、下部に全体を安定的に支持可能な支柱パイプ３と補助パイプ４と袋固定用パイプ５からなり、スタンドの支柱に遊嵌し、且つ、スタンドの補助支柱を接続した二股エルボを支柱の軸方向に移動する事により、多球収納袋の高さ位置を変更可能としたものである。【選択図】  図２
0003108627.tif 000002
【実用新案登録請求の範囲】
【請求項１】
卓球を練習する際に、玉を入れて使用する多球収納袋を有するスタンドにおいて、スタンド（２）に着脱自在に装着可能な多球収納袋（１）と、複数の部品にて組立、且つ、分解可能なスタンドからなり、多球収納袋（１）は、両端にパイプ等の軽量型固定用部材（１ｂ）を係止した袋（１ａ）からなり、スタンド（２）は上部に多球収納袋（１）両端部の軽量型固定用部材（１ｂ）を係止可能な係止部（３ｂ’）（５ｂ’）を有し、下部に全体を安定的に支持可能な支柱パイプ（３）と補助パイプ（４）（４）と袋固定用パイプ（５）からなり、スタンドの支柱（３）に遊嵌し、且つ、スタンドの補助支柱（４）（４）を接続した二股エルボ（３ｄ）を支柱（３）の軸方向に移動する事により、多球収納袋（１）の高さ位置を変更可能とした事を特徴とする卓球練習用多球収納袋付きスタンド。
【考案の詳細な説明】
【技術分野】
【０００１】
卓球を練習する際に玉を入れて使用する卓球練習用多球収納袋付きスタンドに関するものである。
【背景技術】
【０００２】
従来、卓球の練習をする際、サーブやスマッシュ等多球のボールを連続して打つ練習をする場合に使用する多球練習器が各種市販されている。しかし、これらは形状が固定されているので非常に嵩張り、当然、練習場所を移動して練習する際には持ち運ぶ事が困難で、又、価格的にも非常に高価なものである。
【０００３】
特に、小中学生等の練習においては、子供達が自分達で練習の準備や片付けをその都度しないといけない為、出来るだけ軽量で、分解・組み立てが簡単に出来、価格的にもできる限り安価なものが望ましい。
【０００４】
そこで、これまでに出願されている卓球に関するものでは、本件と類似したものが検索出来なかった為、参考文献として卓球練習用具（１件）のみ紹介する。（特許文献１参考。）
【特許文献１】特公開平８−０５２２４５
【考案の開示】
【考案が解決しようとする課題】
【０００５】
そこで、上記課題を解決する為に、この考案は、誰でも分解・組立が容易に出来、且つ、軽量で持ち運びが簡単で、且つ、多球収納袋の高さ位置変更が可能で安価な卓球練習用多球収納袋付きスタンドを開発・提供する事にある。
【課題を解決するための手段】
【０００６】
この課題を解決する為に、この考案は、スタンドに着脱自在に装着可能な多球収納袋と、複数の部品にて組立、且つ、分解可能なスタンドからなり、多球収納袋は、両端にパイプ等の軽量型固定用部材を係止した袋からなり、スタンドは上部に多球収納袋両端部の軽量型固定用部材を係止可能な係止部を有し、下部に全体を安定的に支持可能な支柱パイプと補助パイプと袋固定用パイプからなり、スタンドの支柱に遊嵌し、且つ、スタンドの補助支柱を接続した二股エルボを支柱の軸方向に移動する事により、多球収納袋の高さ位置を変更可能としたものである。
【考案の効果】
【０００７】
両端にパイプ等の軽量型固定用部材を係止した袋からなり、スタンドは上部に多球収納袋両端部の軽量型固定用部材を係止可能な係止部を有し、下部に全体を安定的に支持可能な支柱パイプと補助パイプと袋固定用パイプからなり、スタンドの支柱に遊嵌し、且つ、スタンドの補助支柱を接続した二股エルボを支柱の軸方向に移動する事により、多球収納袋の高さ位置を変更可能にする事で、分解・組立を容易にし、且つ、軽量で持ち運びが簡単で、しかもコスト的にも安価である。
【０００８】
又、上記の如く多球収納袋部の高さ位置変更可能にする事で、小学生から中学生に至る広範囲の人々が使用可能である等、極めて有益なる効果を奏するものである。
【考案を実施するための最良の形態】
【０００９】
この考案の最良の形態として、軽量で簡単に分解・組立及び持ち運びが出来る安価なものにする為に、使用者の背丈及びスタンドの強度等を考慮した各部材の寸法・形状に設定する事が重要である。
【実施例１】
【００１０】
そこで、この考案の一実施例を図１〜図２に基づいて詳述すると、卓球を練習する際に、玉を入れて使用する多球収納袋を有するスタンドにおいて、スタンド（２）に着脱自在に装着可能な多球収納袋（１）と、複数の部品にて組立、且つ、分解可能なスタンドからなり、多球収納袋（１）は、両端にパイプ等の軽量型固定用部材（１ｂ）を係止した袋（１ａ）からなり、スタンド（２）は上部に多球収納袋（１）両端部の軽量型固定用部材（１ｂ）を係止可能な係止部（３ｂ’）（５ｂ’）を有し、下部に全体を安定的に支持可能な支柱パイプ（３）と補助パイプ（４）（４）と袋固定用パイプ（５）からなり、スタンドの支柱（３）に遊嵌し、且つ、スタンドの補助支柱（４）（４）を接続した二股エルボ（３ｄ）を支柱（３）の軸方向に移動する事により、多球収納袋（１）の高さ位置を変更可能とした事を特徴とする卓球練習用多球収納袋付きスタンドから構成される。
【００１１】
次に、この考案の詳細について説明すると、図１はこの考案の分解時の斜視図を示し、卓球練習用多球収納袋付きスタンドは大きく分けて、多球収納袋（１）とスタンド（２）の二つに分類され、多球収納袋（１）は、布製の袋（１ａ）の両端部に軽量型固定用部材（１ｂ）の係止用穴部を設け、且つ、該パイプ係止用穴部に塩化ビニール製の軽量型固定用部材（１ｂ）を嵌挿し、軽量型固定用部材の両端部に抜け防止用クランプ（１ｄ）とキャップ（１ｃ）を嵌着し、収納時にはスタンド（２）から取り外し、折り畳み可能にしたものである。
【００１２】
又、スタンド（２）は、支柱パイプ（３）と補助パイプ（４）と袋固定用パイプ（５）の三つに分けられ、支柱パイプ（３）は全ての部品が塩化ビニール製で、軽量パイプ（３ａ）と、パイプの上部には多球収納袋（１）の一端中央部を固定するクランプ部材（３ｂ）を設け、その下に袋固定用パイプ（５）を嵌挿する為のＹ形エルボ（３ｃ）と抜け防止用クランプ（１ｄ）を固着し、更に、その下には高さ位置変更可能な補助パイプ（４）を固着する為の二股エルボ（３ｄ）と抜け防止用クランプ（１ｄ）を固着し、支柱パイプ（３）の下端部にはキャップ（１ｃ）を嵌着したものである。
【００１３】
又、補助パイプ（４）は、塩化ビニール製の軽量パイプ（４ａ）と下端部にキャップ（１ｃ）を嵌着したものである。
【００１４】
そして更に、袋固定用パイプ（５）は、塩化ビニール製の軽量パイプ（５ａ）と、上端部にクランプ部材（５ｂ）を嵌着したものである。
【００１５】
図２は、この考案の一実施例を示し、卓球練習用多球収納袋付きスタンド組立時の斜視図である。
【００１６】
図３は、この考案の使用例を示し、卓球用ボール（Ｂ）収納時の斜視図である。
【００１７】
又、この考案の卓球練習用多球収納袋付きスタンドには、分解して持ち運ぶ際に収納する布製の収納袋が付属されている。
【産業上の利用可能性】
【００１８】
この考案は、分解・組立を容易にし、且つ、軽量で持ち運びが簡単で、多球収納袋の高さ位置変更が出来、しかも安価である為、特に、小中学生等多くの子供達に卓球を練習指導する学校、団体、グループ等に寄与する点で産業上の利用可能性を有する。
【図面の簡単な説明】
【００１９】
【図１】この考案の一実施例を示し、分解時の斜視図である。
【図２】この考案の一実施例を示し、組立時の斜視図である。
【図３】この考案の使用例を示し、卓球用ボール収納時の斜視図である。
【符号の説明】
【００２０】
１  多球収納袋
１ａ  袋
１ｂ  パイプ
１ｃ  キャップ
１ｄ  抜け防止用クランプ
２  スタンド
３  支柱パイプ
３ａ  軽量パイプ
３ｂ  クランプ部材
３ｂ’  係止部
３ｃ  Ｙ形エルボ
３ｄ  二股エルボ
４  補助パイプ
４ａ  軽量パイプ
５  袋固定用パイプ
５ａ  軽量パイプ
５ｂ  クランプ部材
５ｂ’  係止部
Ｂ  卓球用ボール
【図１】
0003108627.tif 000003
【図２】
0003108627.tif 000004
【図３】
0003108627.tif 000005